(57)【要約】【課題】複数の装置の間の無線接続を簡単に行うことができる無線機器接続システムを提供する。【解決手段】第１制御部１１を備えた第１の端末１と、第２無線接続インタフェース２２及びこれを起動する第２制御部２１を備えた第２の端末２とから成る無線機器接続システムにおいて、第２の端末２は、第１の端末１がセットされたことを検出してセット信号を出力する検出器３１を備えたホルダ３０を備え、第２の端末２の第２制御部２１は、検出器３１から送られてくるセット信号に応答して第２無線接続インタフェース２２を起動し、第１の端末１と第２の端末２との間の無線接続を確立するように構成されている。【選択図】        図１
2004312538.tif 000002
【特許請求の範囲】
【請求項１】
近距離無線通信を行うための第１無線接続インタフェース及び該第１無線接続インタフェースを起動するための第１制御部を備えた第１の端末と、
近距離無線通信を行うための第２無線接続インタフェース及び該第２無線接続インタフェースを起動するための第２制御部を備えた第２の端末とから成る無線機器接続システムにおいて、
前記第２の端末は、前記第１の端末がセットされたことを検出してセット信号を出力する検出器を有するホルダを備え、
前記第２の端末の第２制御部は、前記検出器から送られてくるセット信号に応答して前記第２無線接続インタフェースを起動し、前記第１の端末と前記第２の端末との間の無線接続を確立することを特徴とする無線機器接続システム。
【請求項２】
ホルダは、第１の端末がセットされることにより該第１の端末に充電電流を供給する充電インタフェースを備え、
前記第１の端末は、前記ホルダから充電電流が供給されたことを検出する充電検出器を備え、
前記第１の端末の第１制御部は、前記充電検出器により充電電流の供給が検出されたときに第１無線接続インタフェースを起動し、前記第１の端末と第２の端末との無線接続を確立することを特徴とする請求項１記載の無線機器接続システム。
【請求項３】
第２の端末の第２制御部は、検出器から送られてくるセット信号に応答して、起動信号を第１の端末の第１制御部に送り、
前記第１の端末の第１制御部は、前記第２の端末から送られてくる起動信号に応答して第１無線接続インタフェースを起動し、前記第１の端末と前記第２の端末との無線接続を確立することを特徴とする請求項１記載の無線機器接続システム。
【請求項４】
近距離無線通信は、ブルートゥースを用いた無線通信であることを特徴とする請求項２又は請求項３記載の無線機器接続システム。
【発明の詳細な説明】
【０００１】
【発明の属する技術分野】
この発明は、例えば、車載情報処理装置と携帯型端末装置とを無線接続する無線機器接続システムに係り、特に無線接続のための操作を簡単化する無線機器接続システムに関するものである。
【０００２】
【従来の技術】
従来、例えば自動車内で携帯電話機をハンズフリーで使用する場合、携帯電話機をナビゲーション装置に接続し、携帯電話機の通信機能とナビゲーション装置の音声入出力機能を用いて通話することが行われている。この場合、携帯電話機をナビゲーション装置に接続する方法として種々の方法が考えられている。
【０００３】
例えば特許文献１は、携帯電話機等の携帯型端末装置とカーナビゲーション装置等の車載情報処理装置とを組み合わせて成るナビゲーションシステムにおいて、通信機能を有する携帯型端末装置は、クレードルにセットされることにより車載情報処理装置と無線やＵＳＢ規格、あるいはＲＳ２３２Ｃ規格、ＲＳ２３２Ｅ規格、ＩＥＥＥ１３９４規格に対応したインタフェースで接続され、相互間の通信が可能になる。また、携帯型端末装置がクレードルに設置された場合に、車載情報処理装置側から電力が供給され、携帯型端末装置に内蔵される電池が充電される。
【０００４】
【特許文献１】
特開２００１−４３８７号公報
【０００５】
【発明が解決しようとする課題】
しかしながら、車載情報処理装置と携帯型端末装置とを無線で接続する場合、無線接続の開始にあたって、装置同士のアドレス取得やタイミング取得のためにユーザが煩雑な操作を行う必要がある。この複雑な操作を避けるためには、両装置の無線インタフェースを常に起動状態にしておけばよいが、無線インタフェースを常に起動状態にしておくと電力消費が著しく、電池容量の制約から携帯型端末装置の使用可能時間が短くなる。
【０００６】
この発明は、上述した問題を解決するためになされたものであり、複数の装置の間の無線接続を簡単に行うことができる無線機器接続システムを提供することを目的とする。
【０００７】
【課題を解決するための手段】
この発明に係る無線機器接続システムは、近距離無線通信を行うための第１無線接続インタフェース及び該第１無線接続インタフェースを起動するための第１制御部を備えた第１の端末と、近距離無線通信を行うための第２無線接続インタフェース及び該第２無線接続インタフェースを起動するための第２制御部を備えた第２端末とから成る無線機器接続システムにおいて、第２の端末は、第１の端末がセットされたことを検出してセット信号を出力する検出器を有するホルダを備え、第２の端末の第２制御部は、検出器から送られてくるセット信号に応答して第２無線接続インタフェースを起動し、第１の端末と第２の端末との間の無線接続を確立するように構成されている。
【０００８】
【発明の実施の形態】
以下、この発明の実施の形態を図面を参照しながら詳細に説明する。なお、以下では、この発明に係る無線機器接続システムにおける第１の端末として携帯型端末装置が、第２の端末として車載情報処理装置が使用される場合を例に挙げて説明する。また、各実施の形態において、同一又は相当する構成要素には同一の符号を付して説明する。
【０００９】
実施の形態１．
図１は、この発明の実施の形態１に係る無線機器接続システムの構成を示すブロック図である。この無線機器接続システムは、携帯型端末装置１と車載情報処理装置２とから構成されている。
【００１０】
先ず、携帯型端末装置１について説明する。携帯型端末装置１としては、例えば携帯電話機、ＰＤＡ（Ｐｅｒｓｏｎａｌ  Ｄｉｇｉｔａｌ  Ａｓｓｉｓｔａｎｔ）等を用いることができる。この携帯型端末装置１は、通信会社によって既に提供されている移動体通信システムを用いて通信を行う移動体通信機能の他に、車載情報処理装置２との間で直接に無線通信を行う近距離無線通信機能を備えている。
【００１１】
近距離無線通信には、例えばブルートゥース（Ｂｌｕｅｔｏｏｔｈ）を用いた無線通信が使用される。ブルートゥースは、携帯情報機器向けの無線通信技術であって、１００ｍ程度の範囲に存在する複数の機器間で、２．４ＧＨｚ帯の電波を利用し、１Ｍｂｐｓの速度で通信を行なうことができる。
【００１２】
この携帯型端末装置１は、第１制御部１１、第１無線接続インタフェース１２、アンテナ１３及び電源回路１４を備えている。なお、図１には、通常の移動体通信システムを用いて無線通信を行うための構成は省略されており、近距離無線通信に必要な構成のみが記載されている。
【００１３】
第１制御部１１は、例えばマイクロコンピュータから構成されており、携帯型端末装置１の全体を制御する。例えば、第１制御部１１は、第１無線接続インタフェース１２を起動するための起動信号を生成する。
【００１４】
第１無線接続インタフェース１２は、第１制御部１１からの起動信号に応答して起動され、車載情報処理装置２との間で無線通信を行うための処理を実行する。この第１無線接続インタフェース１２は、車載情報処理装置２との間の無線接続が確立されていない状態では、スリープ（休止）モードに入る。これにより、携帯型端末装置１の消費電力を節約できるようになっている。
【００１５】
アンテナ１３は、第１無線接続インタフェース１２から送られてくる電気信号を電波に変換して車載情報処理装置２に送信する。また、車載情報処理装置２から送られてくる電波を受信し、電気信号に変換して第１無線接続インタフェース１２に送る。
【００１６】
電源回路１４は、図示しない内蔵バッテリから出力される電力を携帯型端末装置１の各部に供給する。また、電源回路１４は、携帯型端末装置１がホルダ３０（詳細は後述する）にセットされることにより、該ホルダ３０から供給される電源ＡＣＣによって内蔵バッテリを充電する。また、電源回路１４は、充電検出器１５を備えている。充電検出器１５は、例えば電流検出器から構成されており、ホルダ３０から電源回路１４に流入する充電電流の有無を検出する。この充電検出器１５による検出結果は第１制御部１１に送られる。
【００１７】
次に、車載情報処理装置２について説明する。車載情報処理装置２は、例えばカーナビゲーション装置、カーオーディオ装置、ラジオ受信機、テレビジョン受信機等、或いはこれらを統合した装置から構成できる。この車載情報処理装置２は、携帯型端末装置１との間で直接に無線通信を行う近距離無線通信機能を備えている。この近距離無線通信には、例えばブルートゥースを用いた無線通信が使用される。
【００１８】
この車載情報処理装置２は、制御ユニット２０とホルダ３０とから構成されている。制御ユニット２０は、第２制御部２１、第２無線接続インタフェース２２、アンテナ２３、電源回路２４及び表示部２５から構成されている。なお、図１には、通常の車載情報処理装置として機能するための構成は省略されており、近距離無線通信に必要な構成のみが記載されている。
【００１９】
第２制御部２１は、例えばマイクロコンピュータから構成されており、車載情報処理装置２の全体を制御する。例えば、第２制御部２１は、第２無線接続インタフェース２２を起動するための起動信号を生成する。
【００２０】
第２無線接続インタフェース２２は、第２制御部２１からの起動信号に応答して起動され、携帯型端末装置１との間で無線通信を行うための処理を実行する。
【００２１】
アンテナ２３は、第２無線接続インタフェース２２から送られてくる電気信号を電波に変換して携帯型端末装置１に送信する。また、携帯型端末装置１から送られてくる電波を受信し、電気信号に変換して第２無線接続インタフェース２２に送る。
【００２２】
電源回路２４は、図示しない車両のバッテリから出力される高電圧の電力を所定レベルの電圧を有する電力に変換し、車載情報処理装置２の各部に供給する。また、電源回路２４は、携帯型端末装置１の内蔵バッテリを充電するための電力をホルダ３０に供給する。
【００２３】
表示部２５は、無線接続の状態や無線接続されている携帯型端末装置１の情報を表示する。なお、この表示部２５は、車載情報処理装置２が例えばカーオーディオ装置である場合は、曲の選択状態、音量の設定状態等を表示し、カーナビゲーション装置である場合は地図や目的地までの経路、交通情報等を表示するためにも使用される。
【００２４】
ホルダ３０は、例えばクレイドルと呼ばれる携帯型端末装置１の保持器から構成されている。このホルダ３０は、車載情報処理装置２の筐体と別体又は一体に構成することができる。ホルダ３０は、該ホルダ３０に携帯型端末装置１がセットされた場合に、携帯型端末装置１のアンテナ１３と車載情報処理装置２のアンテナ２３との間に障害物が存在しない位置になるように配置することが好ましい。構造上の制約により上記障害物が存在せざるを得ない場合は、アンテナ１３とアンテナ２３との間の電波の送受が容易になるように、障害物にスリットを設ける等の処置を施すのが好ましい。
【００２５】
このホルダ３０は、携帯型端末装置１がセットされたことを検出するための検出器３１及び携帯型端末装置１の内蔵バッテリを充電するための充電インタフェース３３を備えている。検出器３１は、例えば機械式のマイクロスイッチ、光センサ、圧力センサ等から構成できる。この検出器３１による検出結果は、セット信号として信号線３２を介して車載情報処理装置２の第２制御部２１に送られる。
【００２６】
充電インタフェース３３は、携帯型端末装置１の電源端子（図示しない）に嵌合し、電源回路１４に電源ＡＣＣを供給する。この電源ＡＣＣは、上述したように、車載情報処理装置２の電源回路２４から配線により供給される。なお、電源ＡＣＣは、車両に設けられているシガーソケットからケーブルを用いて供給するように構成することもできる。
【００２７】
図２は、図１に示す無線機器接続システムの具体例として、携帯型端末装置１として携帯電話機１ａを採用し、車載情報処理装置２として例えばＣＤプレイヤーといったカーオーディオ装置２ａを採用し、更にカーオーディオ装置２ａを利用してハンズフリー通話を行う場合の構成を示すブロック図である。なお、図２に示す無線機器接続システムにおいて、図１に示した構成要素と同一又は相当部分には図１と同一の符号を付してある。
【００２８】
携帯電話機１ａは、通常の通話機能に加え、ブルートゥースを用いた近距離無線通信機能（以下、「ブルートゥース機能」という）を備えている。カーオーディオ装置２ａは、通常のオーディオ機能に加え、ブルートゥース機能を備えている。携帯電話機１ａとカーオーディオ装置２ａとは、このブルートゥース機能により無線接続され、送受話音声、ダイヤルデータ等の携帯電話制御コマンドが送受信される。これにより、マイクロフォン２８とスピーカ２９とを用いたハンズフリー通話が可能になる。
【００２９】
具体的には、携帯電話機１ａは、図１に示した携帯型端末装置１にアンテナ１６が追加されて構成されている。また、この携帯電話機１ａでは、第１無線接続インタフェース１２として第１ブルートゥースモジュール１２ａが使用されている。アンテナ１６は、通信会社によって既に提供されている移動体通信システムを用いて通常の通話又は通信を行うために使用される。
【００３０】
カーオーディオ装置２ａは、図１に示した車載情報処理装置２に操作パネル２６、オーディオ部２７、マイクロフォン２８及びスピーカ２９が追加されて構成されている。また、このカーオーディオ装置２ａでは、第２無線接続インタフェース２２として第２ブルートゥースモジュール２２ａが使用されている。
【００３１】
操作パネル２６は、オーディオ機能を使用する際に、例えば装着されたＣＤの中から曲を選択したり、音量を設定するために使用される。この操作パネル２６によって設定された曲の選択状態、音量の設定状態等は、表示器２５に表示される。また、操作パネル２６は、ダイヤル、発信、着信といった携帯電話機能を使用するためにも使用される。
【００３２】
オーディオ部２７は、操作パネル２６で選択された曲の楽音信号を生成してスピーカ２９に送ることにより曲を再生する。また、オーディオ部２７は、ハンズフリー通話を行うために、マイクロフォン２８から入力された音声を認識して第２制御部２１に送ると共に、第２制御部２１から送られてくる音声信号をスピーカ２９に送って発音させる。
【００３３】
次に、この発明の実施の形態１に係る無線機器接続システムの動作を、図２に示した無線機器接続システムにおいてハンズフリー通話を行う場合を例に挙げて説明する。図３は、図２に示す無線機器接続システムにおいてハンズフリー通話を行う場合の手順を示すシーケンス図である。
【００３４】
先ず、初期状態では、カーオーディオ装置２ａは、ブルートゥース機能をオフにし（ステップＳＴ１０）、その後、ホルダ３０に携帯電話機１ａがセットされたかどうかを調べながら待機している（ステップＳＴ１１）。具体的には、カーオーディオ装置２ａの第２制御部２１は、ホルダ３０に設けられた検出器３１から、ホルダ３０に携帯電話機１ａがセットされた旨を表すセット信号が受信されたか否かを調べながらループしている。
【００３５】
一方、携帯電話機１ａは、ブルートゥース機能をオフにし（ステップＳＴ２０）、その後、カーオーディオ装置２ａのホルダ３０にセットされたかどうかを調べながら待機している（ステップＳＴ２１）。具体的には、携帯電話機１ａの第１制御部１１は、電源回路１４内の充電検出器１５によって、充電インタフェース３３を介して充電電流の流入が検出されたかどうかを調べながらループしている。
【００３６】
この状態で、携帯電話機１ａがホルダ３０にセットされると（ステップＳＴ２２）、ホルダ３０に設けられた検出器３１は、ホルダ３０に携帯電話機１ａがセットされたことを検出し、その旨を表すセット信号を信号線３２を介して制御ユニット２０ａの第２制御部２１に送る。第２制御部２１は、このセット信号を受け取ると、第２ブルートゥースモジュール２２ａに起動信号を送り、ブルートゥース機能を起動する（ステップＳＴ１２）。その後、携帯電話機１ａはブルートゥースによる接続準備を開始する（ステップＳＴ１３）。
【００３７】
一方、携帯電話機１ａは、ステップＳＴ２２で、カーオーディオ装置２ａのホルダ３０にセットされると、充電インタフェース３３を介して電源回路１４に充電電流が流入し、充電が開始される。電源回路１４の内部の充電検出器１５は、この充電電流の流入を検出すると、その旨を表す信号を第１制御部１１に送る。第１制御部１１は、この充電検出器１５からの信号を受け取ると、第１ブルートゥースモジュール１２ａに起動信号を送り、ブルートゥース機能を起動する（ステップＳＴ２３）。その後、携帯電話機１ａはブルートゥースによる接続準備を開始する（ステップＳＴ２４）。
【００３８】
上記ステップＳＴ１３における接続準備及びステップＳＴ２４における接続準備においては、第１ブルートゥースモジュール１２ａと第２ブルートゥースモジュール２２ａとの間で予め定められた手順に則って所定のデータが送受され、接続可能機器の探索及びブルートゥースデバイスアドレスＢＤ−Ａｄｄｒｅｓｓの取得等といった接続のためのネゴシエーションが自動的に行われる。
【００３９】
カーオーディオ装置２ａの第２制御部２１は、上述したネゴシエーションによって第２ブルートゥースモジュール２２ａから得られた接続状態や接続可能機器に関する接続情報を表示部２５に表示する。例えば、上記ネゴシエーションにおいて、接続可能機器が複数探索された場合は、その機器の一覧を表示部２５に表示する。ユーザは、操作パネル２６を用いて、表示部２５に表示された複数の機器の中から接続を所望する１つの機器を選択し、通信相手を決定することができる（ステップＳＴ１７）。
【００４０】
上記ステップＳＴ１３における接続準備及びステップＳＴ２４における接続準備によってネゴシエーションが完了すると、カーオーディオ装置２ａと携帯電話機１ａとの間の接続が完了し、無線接続が確立される（ステップＳＴ１４）。これにより、カーオーディオ装置２ａと携帯電話機１ａとの間でブルートゥースによる無線通信が可能になる。
【００４１】
上記接続が完了すると、カーオーディオ装置２ａの表示部２５及び操作パネル２６を用いた携帯電話機１ａの操作が可能になる（ステップＳＴ１５）。即ち、通話状態の確認、ダイヤル、発信、着信を行うことができる。ユーザは、この状態でカーオーディオ装置２ａの表示部２５及び操作パネル２６を用いてダイヤルすることにより、携帯電話機１ａ及び移動体通信システムを介して所望の相手と接続し、マイクロフォン２８及びスピーカを用いたハンズフリー通話が可能になる（ステップＳＴ１６）。
【００４２】
以上説明したように、この発明の実施の形態１に係る無線機器接続システムによれば、携帯電話機１ａがホルダ３０にセットされると、携帯電話機１ａの第１ブルートゥースモジュール１２ａは充電電流が検出されることにより自動的に起動され、カーオーディオ装置２ａの第２ブルートゥースモジュールはホルダ３０からのセット信号を受け取ることによって自動的に起動され、携帯電話機１ａとカーオーディオ装置２ａとの無線接続が確立される。従って、ユーザは、ブルートゥースによる無線接続のための複雑な操作を行う必要がなく、携帯電話機１ａをホルダ３０にセットするだけでよいので、カーオーディオ装置２ａと携帯電話機１ａとの間の無線接続を簡単且つ迅速に行うことができる。
【００４３】
実施の形態２．
次に、この発明の実施の形態２に係る無線機器接続システムを説明する。この実施の形態２に係る無線機器接続システムは、携帯型端末装置１のブルートゥース機能の起動を車載情報処理装置２側からの起動命令によって行うようにしたものである。
【００４４】
図４は、この実施の形態２に係る無線機器接続システムの構成を示すブロック図である。この無線機器接続システムは、以下の点で実施の形態１に係る無線機器接続システムと異なる。
【００４５】
即ち、携帯型端末装置１は、電源回路１４から充電検出器１５が除去されると共に、ホルダ３０の外部インタフェース３４からの起動命令が第１制御部１１に供給されるように構成されている。
【００４６】
また、車載情報処理装置２のホルダ３０は、外部インタフェース３４を備えており、制御ユニット２０の第２制御部２１は、信号線３５を介して起動命令を外部インタフェース３４に供給するように構成されている。
【００４７】
図５は、図４に示した実施の形態２に係る無線機器接続システムの具体例の構成を示すブロック図である。この無線機器接続システムは、以下の点で実施の形態１に係る無線機器接続システムの具体例と異なる。
【００４８】
即ち、携帯電話機１ａは、電源回路１４から充電検出器１５が除去されると共に、ホルダ３０の外部インタフェース３４からの起動命令が第１制御部１１に供給されるように構成されている。
【００４９】
また、カーオーディオ装置２ａのホルダ３０は、外部インタフェース３４を更に備えており、制御ユニット２０ａの第２制御部２１は、信号線３５を介して起動命令を外部インタフェース３４に供給するように構成されている。
【００５０】
次に、この発明の実施の形態２に係る無線機器接続システムの動作を、図５に示した無線機器接続システムにおいてハンズフリー通話を行う場合を例に挙げて説明する。図６は、図５に示す無線機器接続システムにおいてハンズフリー通話を行う場合の手順を示すシーケンス図である。なお、図６において、図３に示したステップと同一又は相当するステップには、図３と同じ符号が付してある。
【００５１】
先ず、初期状態では、カーオーディオ装置２ａは、ブルートゥース機能をオフにし（ステップＳＴ１０）、その後、ホルダ３０に携帯電話機１ａがセットされたかどうかを調べながら待機している（ステップＳＴ１１）。具体的には、カーオーディオ装置２ａの第２制御部２１は、ホルダ３０に設けられた検出器３１から、ホルダ３０に携帯電話機１ａがセットされた旨を表すセット信号が受信されたか否かを調べながらループしている。
【００５２】
一方、携帯電話機１ａは、ブルートゥース機能をオフにし（ステップＳＴ２０）、その後、カーオーディオ装置２ａのホルダ３０にセットされたかどうかを調べながら待機している（ステップＳＴ２２）。具体的には、携帯電話機１ａの第１制御部１１は、カーオーディオ装置２ａの第２制御部２１から信号線３５及び外部インタフェース３４を介して起動命令を受信したかどうかを調べながらループしている。
【００５３】
この状態で、携帯電話機１ａがホルダ３０にセットされると（ステップＳＴ２１）、ホルダ３０に設けられた検出器３１は、ホルダ３０に携帯電話機１ａがセットされたことを検出し、その旨を表すセット信号を信号線３２を介して制御ユニット２０ａの第２制御部２１に送る。第２制御部２１は、このセット信号を受け取ると、第２ブルートゥースモジュール２２ａに起動信号を送り、ブルートゥース機能を起動する（ステップＳＴ１２）。次いで、第２制御部２１は、起動命令を生成し、信号線３５及び外部インタフェース３４を介して携帯電話機１ａの第１制御部１１に送る（ステップＳＴ３０）。その後、携帯電話機１ａはブルートゥースによる接続準備を開始する（ステップＳＴ１３）。
【００５４】
一方、携帯電話機１ａは、カーオーディオ装置２ａがステップＳＴ３０で送出した起動命令を受け取ると、第１ブルートゥースモジュール１２ａに起動信号を送り、ブルートゥース機能を起動する（ステップＳＴ２３）。その後、携帯電話機１ａはブルートゥースによる接続準備を開始する（ステップＳＴ２４）。
【００５５】
上記ステップＳＴ１３における接続準備及びステップＳＴ２４における接続準備においては、第１ブルートゥースモジュール１２ａと第２ブルートゥースモジュール２２ａとの間で予め定められた手順に則って所定のデータが送受され、接続可能機器の探索及びブルートゥースデバイスアドレスＢＤ−Ａｄｄｒｅｓｓの取得等といった接続のためのネゴシエーションが自動的に行われる。
【００５６】
カーオーディオ装置２ａの第２制御部２１は、上述したネゴシエーションによって第２ブルートゥースモジュール２２ａから得られた接続状態や接続可能機器に関する接続情報を表示部２５に表示する。例えば、上記ネゴシエーションにおいて、接続可能機器が複数探索された場合は、その機器の一覧を表示部２５に表示する。ユーザは、操作パネル２６を用いて、表示部２５に表示された複数の機器の中から接続を所望する１つの機器を選択し、通信相手を決定することができる（ステップＳＴ１７）。
【００５７】
上記ステップＳＴ１３における接続準備及びステップＳＴ２４における接続準備によってネゴシエーションが完了すると、カーオーディオ装置２ａと携帯電話機１ａとの間の接続が完了し、無線接続が確立される（ステップＳＴ１４）。これにより、カーオーディオ装置２ａと携帯電話機１ａとの間でブルートゥースによる無線通信が可能になる
【００５８】
上記接続が完了すると、カーオーディオ装置２ａの表示部２５及び操作パネル２６を用いた携帯電話機１ａの操作が可能になる（ステップＳＴ１５）。即ち、通話状態の確認、ダイヤル、発信、着信を行うことができる。ユーザは、この状態でカーオーディオ装置２ａの表示部２５及び操作パネル２６を用いてダイヤルすることにより、携帯電話機１ａ及び移動体通信システムを介して所望の相手と接続し、マイクロフォン２８及びスピーカを用いたハンズフリー通話が可能になる（ステップＳＴ１６）。
【００５９】
以上説明したように、この発明の実施の形態２に係る無線機器接続システムによれば、携帯電話機１ａがホルダ３０にセットされると、携帯電話機１ａの第１ブルートゥースモジュール１２ａはカーオーディオ装置２ａから起動命令を受け取ると自動的に起動され、カーオーディオ装置２ａの第２ブルートゥースモジュールはホルダ３０からのセット信号を受け取ることによって自動的に起動され、携帯電話機１ａとカーオーディオ装置２ａとの無線接続が確立される。従って、ユーザは、ブルートゥースによる無線接続のための複雑な操作を行う必要がなく、携帯電話機１ａをホルダ３０にセットするだけでよいので、カーオーディオ装置２ａと携帯電話機１ａとの間の無線接続を簡単且つ迅速に行うことができる。
【００６０】
【発明の効果】
以上のように、この発明によれば、第１の端末がホルダにセットされることにより第２の端末の第２無線接続インタフェースが自動的に起動され、第１の端末と第２の端末との無線接続が確立されるので、ユーザは無線接続を行うための煩雑な操作を行う必要がない。その結果、複数の装置の間の無線接続を簡単且つ迅速に行うことができる。
【図面の簡単な説明】
【図１】この発明の実施の形態１に係る無線機器接続システムの構成を示すブロック図である。
【図２】この発明の実施の形態１に係る無線機器接続システムの具体例の構成を示すブロック図である。
【図３】この発明の実施の形態１に係る無線機器接続システムの具体例においてハンズフリー通話を行う場合の手順を示すシーケンス図である。
【図４】この発明の実施の形態２に係る無線機器接続システムの構成を示すブロック図である。
【図５】この発明の実施の形態２に係る無線機器接続システムの具体例の構成を示すブロック図である。
【図６】この発明の実施の形態２に係る無線機器接続システムの具体例においてハンズフリー通話を行う場合の手順を示すシーケンス図である。
【符号の説明】
１  携帯型端末装置（第１の端末）、１ａ  携帯電話機（第１の端末）、２  車載情報処理装置（第２の端末）、２ａ  カーオーディオ装置（第２の端末）、１１  第１制御部、１２  第１無線接続インタフェース、１２ａ  第１ブルートゥースモジュール、１３  アンテナ、１４  電源回路、１５  充電検出器、２０制御ユニット、２１  第２制御部、２２  第２無線接続インタフェース、２２ａ  第２ブルートゥースモジュール、２３  アンテナ、２４  電源回路、２５  表示部、２６  操作パネル、２７  オーディオ部、２８  マイクロフォン、２９スピーカ、３０  ホルダ、３１  検出器、３２  信号線、３３  充電インタフェース、３４  外部インタフェース、３５  信号線。
【図１】
2004312538.tif 000003
【図２】
2004312538.tif 000004
【図３】
2004312538.tif 000005
【図４】
2004312538.tif 000006
【図５】
2004312538.tif 000007
【図６】
2004312538.tif 000008
【手続補正書】
【提出日】平成15年11月19日(2003.11.19)
【手続補正１】
【補正対象書類名】図面
【補正対象項目名】図５
【補正方法】変更
【補正の内容】
【図５】
2004312538.tif 000009